(57)【要約】【課題】綿棒の滅菌した吸液部材（例えば、綿球）に指で触れることなく薬液を含浸させることができ、且つ指などに薬液を付着させることなく綿棒を袋より容易に取り出すことができる綿棒用収納滅菌袋を提供する。【解決手段】熱溶着性合成樹脂フィルム（表面フィルム１２及び裏面フィルム１３）からなる袋体１０であって、一端に吸液部材（綿球１８）を取り付けた綿棒１１を収納・封止した、少なくとも表裏面を有する綿棒用収納滅菌袋において、前記袋体１０の表裏面のうち一方の面の略中央部に薬液注入用の開口部１６を設け、前記開口部１６を覆って多孔性シート１７を貼着し、前記袋体１０の上部には前記滅菌袋を開封するための開封部（切り込み１９）を設けた綿棒用収納滅菌袋。【選択図】      図１
2004187996.tif 000002
【特許請求の範囲】
【請求項１】
熱溶着性合成樹脂フィルムからなる袋体であって、一端に吸液部材を取り付けた綿棒を収納・封止した、少なくとも表裏面を有する綿棒用収納滅菌袋において、
前記袋体の表裏面のうち一方の面の略中央部に薬液注入用の開口部を設け、前記開口部を覆って多孔性シートを貼着し、前記袋体の上部には前記滅菌袋を開封するための開封部を設けたことを特徴とする綿棒用収納滅菌袋。
【請求項２】
前記開口部は、その開口時に、収納した綿棒の吸液部材が開口部を通して見えない底部から上部寄りの部位に穿設されていることを特徴とする請求項１記載の綿棒用収納滅菌袋。
【請求項３】
前記多孔性シートは、不織布、コーティング紙等からなり、前記袋体の一方の面に熱溶着により貼着したことを特徴とする請求項１記載の綿棒用収納滅菌袋。
【発明の詳細な説明】
【０００１】
【発明の属する技術分野】
本発明は綿棒用収納滅菌袋、更に詳しくは、綿棒の滅菌した吸液部材（例えば、綿球）に指で触れることなく薬液を含浸させることができ、且つ指などに薬液を付着させることなく綿棒を袋より容易に取り出すことができる綿棒用収納滅菌袋に関するものである。
【０００２】
【従来の技術】
木製，紙製又はプラスチック製などの棒状体の一端又は両端に吸液部材（通常、綿球）が取り付けられた綿棒は、医療・衛生用等の目的で広く使用されている。前記綿棒は通常、一本ずつ又は複数本まとめられて、例えば、紙製，プラスチック製，金属製等の袋状，箱状又は筒状の容器内に収納されている。
【０００３】
医療・衛生用に使用される綿棒の場合には、使用前に前記綿棒を滅菌する必要がある。それ故、前記綿棒を収納した状態で該綿棒を容易に滅菌し得るように工夫された綿棒収納容器を使用すると都合が良い。例えば、特許文献１には、医療分野において患者の診療や手術に供するための種々の器具（例えば、鉗子，ピンセット，ハサミ等）を収納・封止し、且つ滅菌するための滅菌用バッグが記載されている。
【０００４】
【特許文献１】
特許第３０７８２１０号明細書（請求項１，図１）
【０００５】
図５に特許文献１に記載された滅菌用バッグ１の一例の部分破断斜視図を示す。滅菌用バッグ１は、鉗子２等を収納・封止した状態で滅菌するための収納滅菌袋である。１つの実施例によれば、２枚の表裏フィルム（表面フィルム３及び裏面フィルム４）と１枚の底フィルム５を、周辺をヒートシールすることによって船底状袋を構成したものにおいて、表面フィルム３と底フィルム５を合成樹脂フィルムで形成し、裏面フィルム４を鉗子２等が当たるその下部を合成樹脂フィルム（下部フィルム６，長さＬ2 ）で、その上部をガス通気性のあるフィルム（上部フィルム７，長さＬ1 ）で形成したものである。
滅菌された滅菌用バッグ１は、上方縁部のシール部８を剥離・開封（ピールオープン）するか、又は切り取り線９から切断して、収納した鉗子等を取り出し使用するものである。
【０００６】
【発明が解決しようとする課題】
ところで、例えば、献血（採血）の際には、血液提供者の血液検査と本採血において採血部位を消毒する必要があり、前記消毒には通常イソジン（液）〔商標名；例えば、明治製菓株式会社製のイソジンうがい薬，以下同じ〕が使用される。具体的には、綿球にイソジンを含浸させた綿棒にて採血部位を消毒する。イソジンで消毒した採血部位は淡褐色ないし褐色に着色するので、採血後、通常、ハイポアルコールを用いて採血箇所を洗浄（色消し）する。具体的には、綿球にハイポアルコールを含浸させた綿棒にて採血部位を拭く。それ故、一回の献血において、血液検査で綿棒２本、本採血で綿棒２本の計４本が使用される。院内感染防止のため、前記綿棒は使い捨てにされる。
【０００７】
しかしながら、前述のような献血時に、特許文献１のような従来の収納滅菌袋（滅菌用バッグ）に綿棒を収納し滅菌しても、消毒液を使用する場合には、以下に例示するような種々の不具合が生じるか又は生じる恐れがある。
すなわち、特許文献１の収納滅菌袋に綿棒を収納する場合、綿球が下側（図５の底フィルム５側）となるように収納することになる。ところが、特許文献１の収納滅菌袋では、上方縁部から開封する（例えば、上方縁部を切り取り線９に沿って切り取る）ので、その開口部からイソジンを滅菌用バッグ１内に注入するとき、綿棒の棒の特に、綿球と反対側の端部（綿棒の上部）にイソジンが付着し易い。綿棒の上部にイソジンが付着した場合は、棒を指で摘んで綿棒を取り出す際に指にもイソジンが付着し、望ましくなく、しかも採血作業者の指が着色するので、色消しのため前記指を洗浄することが必要となる。
また、イソジンが棒，滅菌袋内の表面フィルム３及び裏面フィルム４に広範囲に付着するため、綿球に含浸させるに足る量よりもかなり多くのイソジンが必要となる（使い捨てにする場合は、使用する薬液の量はなるべく少ない方がよい）。
更に、綿棒を蒸気滅菌する際は、特に綿球を滅菌することが重要であるが、滅菌用バッグ１において、蒸気の導入口である上部フィルム７は綿球の反対側に位置するため、棒に比べて綿球を滅菌し難い。
【０００８】
本発明は前記従来技術の問題点を解決するためのものであり、その目的とするところは、一端に吸液部材（例えば、綿棒の下部の綿球）が取り付けられた綿棒を収納・封止した滅菌袋において、綿棒の他端の棒（綿棒の上部）に前記薬液を付着させることなく薬液を注入することができ、吸液部材に薬液を含浸させた綿棒を、指などに薬液を付着させることなく容易に取り出すことができる綿棒用収納滅菌袋を提供することにある。
【０００９】
【課題を解決するための手段】
本発明の請求項１に記載の綿棒用収納滅菌袋は、熱溶着性合成樹脂フィルムからなる袋体であって、一端に吸液部材を取り付けた綿棒を収納・封止した、少なくとも表裏面を有する綿棒用収納滅菌袋において、
前記袋体の表裏面のうち一方の面の略中央部に薬液注入用の開口部を設け、前記開口部を覆って多孔性シートを貼着し、前記袋体の上部には前記滅菌袋を開封するための開封部を設けたことを特徴とする。
本発明は上記構成からなるものであるから、多孔性シートを剥がし、開口した開口部から薬液を注入し、吸液部材に集中的に含浸（又は付着）させ、しかる後、袋の上部を開封し、薬液の付着していない綿棒の上部を持って綿棒を取り出すことができる。
【００１０】
本発明の請求項２に記載の綿棒用収納滅菌袋において、前記開口部は、その開口時に、収納した綿棒の吸液部材が開口部を通して見えない底部から上部寄りの部位に穿設されていることを特徴とする。
上記構成により、吸液部材を中心に（ほぼ吸液部材に対して又は吸液部材の近傍に）、開口部から薬液を注入することができる。また、吸液部材が開口部を通して見えない位置（開口部を設けた一方の面にほぼ直交する方向から開口部を通して直接見えない位置）に収納されているので、吸液部材は開口した開口部を通して外部のものに触れ難く、薬液の注入時に指や薬液注入器具が吸液部材に触れて滅菌済みの吸液部材を汚染することはない。
【００１１】
本発明の請求項３に記載の綿棒用収納滅菌袋において、前記多孔性シートは、不織布、コーティング紙等からなり、前記袋体の一方の面に熱溶着により貼着したことを特徴とする。
多孔性シートの貼着形態が熱溶着であると、剥がした後がべとつかず、取り扱いが容易になるため迅速に処理し易い。
【００１２】
【発明の実施の形態】
以下の実施の形態により、本発明を更に詳しく説明する。
実施の形態１：
図１に、本発明の実施の形態１の綿棒用収納滅菌袋の袋体１０に綿棒１１を収納・封止した例を示す。袋体１０は、合成樹脂フィルムからなる表面フィルム１２と裏面フィルム１３と底フィルム１４とがシール部１５にて熱溶着されることにより形成されている。表面フィルム１２の略中央部（中央部よりやや底フィルム１４寄り）には、所定の大きさの円形の開口部１６が設けられており、開口部１６を覆って、コーティング紙（例えば、所定部分が合成樹脂にてコーティングされた合成樹脂コーティング紙）又は不織布からなる多孔性シート１７が熱溶着されている。袋体１０において、複数個の綿球１８が集まる箇所は袋にある程度の厚さが必要となるため、本実施の形態１では、底フィルム１４により袋の前記厚さを確保しているが、例えば、綿棒１１の本数が少ない場合は、底フィルム１４を用い無くてもよい。シール部１５の所定箇所に切り込み１９を設け、この箇所で袋体１０を切り裂き、袋体１０の上部を開口することができる。
多孔性シート１７は多孔性なので、例えば、袋体１０をオートクレーブ内に入れて、袋体１０内の綿棒１１を蒸気滅菌する際の蒸気の導入口として機能する。図２に示されるように、多孔性シート１７は、表面フィルム１２から容易に剥離することができ、多孔性シート１７を剥離すると開口部１６が露出する。
【００１３】
＜綿球の薬液処理＞
図３に、実施の形態１における綿棒１１の綿球１８を薬液２１で処理する状態を示す。献血（採血）における綿球の薬液処理を例として説明する。
多孔性シート１７を表面フィルム１２から剥離した後（図２参照）、開口部１６から所定量の薬液２１（この場合、殺菌・消毒用のイソジン）を袋体１０内に注入する。薬液２１は、図３の薬液処理部２２（長さＳの部分）に溜まるので、この薬液処理部２２にて、綿球１８に薬液２１を含浸させることができる。
所定の大きさの開口部１６を表面フィルム１２の略中央部に設けることにより、開口部１６から薬液２１（イソジン）を袋体１０内に注入する際、薬液２１は綿棒１１の棒２０の綿球１８と反対側の端部（綿棒１１を袋体１０から取り出すとき、例えば指で摘む箇所）に全く付着しない。この操作中、図３に示すように袋体１０を少し傾けておくか、又は、底フィルム１４側を底部として立てておくと都合が良い。
綿球１８に薬液２１（イソジン）を充分に含浸させた後、袋体１０を切り込み１９から切り裂き、棒２０の前記端部を指で摘んで綿棒１１を取り出し、薬液２１（イソジン）が含浸した綿球１８で人の採血する部分を殺菌・消毒する。
なお、イソジンなどのような着色した薬液２１を用いる場合には、殺菌・消毒した箇所が着色（この場合、淡褐色ないし褐色）するので、別の袋体１０を用意し（図示せず）、薬液２１として例えばハイポアルコールを用い、前記操作と同様にして綿球１８に薬液２１（ハイポアルコール）を充分に含浸させた後、取り出し、薬液２１（ハイポアルコール）が含浸した綿球１８で人の採血した部分を拭いて色消しを行う。
【００１４】
実施の態様２：
図４に本発明の実施の態様２の綿棒用収納滅菌袋の袋体２３を示す。袋体２３は、開口部２４が矩形状であり、切り込み２５が実施の態様１の袋体１０の場合と反対側（図中左側）に設けられていること以外は、実施の態様１の袋体１０と同様である。
【００１５】
以下、本発明の実施に当たり、考慮すべき点を述べる。
前記袋体は、一枚の熱溶着性合成樹脂フィルムから形成してもよいし、又は、二枚若しくは三枚以上の熱溶着性合成樹脂フィルムから形成してもよい。具体的には前記袋体は、例えば、一枚の熱溶着性合成樹脂フィルムを折り曲げ、重ね合わせ、端部を熱溶着することにより形成してもよいし、又は、同一形状の一枚の熱溶着性合成樹脂フィルムを対向させて重ね合わせ、端部を熱溶着することにより形成してもよい。或いは前記袋体は、綿棒の吸液部材を収納する部位の収納容積を他の部位の収納容積に比べて大きくするため、例えば、表面を形成するための第一の熱溶着性合成樹脂フィルムと、裏面を形成するための第二の熱溶着性合成樹脂フィルムと、底面を形成するための第三の熱溶着性合成樹脂フィルムとを所定の配置で重ね合わせ、端部を熱溶着することにより形成することもできる。
前記袋体の大きさや形状は適宜選択する。また必要であれば、前記袋体内を二つ以上の区画に区分してもよい。
【００１６】
前記熱溶着性合成樹脂フィルムは、熱溶着し得る慣用の材料、例えば、ポリオレフィン（例えば、ポリエチレンやポリプロピレン）、ポリエステル（例えば、ポリエチレンテレフタレート）、ポリアミド（例えば、ナイロン６，６やナイロン６）又はこれらの組み合わせからなる材料（複合材料）のフィルムを使用することができる。
前記熱溶着性合成樹脂フィルムの大きさ、形状及び厚さは、目的とする綿棒用収納滅菌袋の大きさや形状を考慮して適宜選択する。
【００１７】
本綿棒用収納滅菌袋の中に収納する綿棒は、棒状体の一端に吸液部材が取り付けられた形態を有する慣用の綿棒であってよい。使用目的に応じて、適切な本数の綿棒を綿棒用収納滅菌袋内に収納し、封止する。
【００１８】
前記開口部は前記袋体の表裏面のうちの一方の面の略中央部に設ける。ここで、略中央部とは、前記一方の面を縦方向及び／又は横方向に二等分する中点及びその近傍の領域を含む。それ故、開口部は、前記中点から袋体の上下左右の何れかの方向に偏って設けられてもよい。望ましくは前記開口部は、袋体内に収納された綿棒の吸液部材寄りに設けることが好ましい。
【００１９】
前記開口部の大きさや形状は、該開口部から注入する薬液の種類や量を考慮して適宜選択する。例えば前記開口部の形状は、円形，楕円形又は矩形であってよく、更に、三角形，五角形以上の多角形又はこれらの形状の組み合わせ、或いは、不定形（例えば、直線及び／又は曲線を組み合わせてなる不特定な形状）であってもよい。
【００２０】
前記多孔性シートは前記開口部を覆うことができる大きさ，形状及び適する厚さにて使用し、適する手段、例えば熱溶着を用いて前記一方の面に貼着することができる。袋体内に収納・封止された綿棒は、使用に先立って適する手段（通常蒸気）を使用して滅菌する必要がある。それ故、前記多孔性シートは、滅菌用の蒸気は充分に通すが、しかし、袋体内に汚染物を進入させることのない程度の多孔性を有するフィルム、具体的には、例えば、適する多孔性を有する不織布、コーティング紙（例えば、合成樹脂コーティング紙）等を使用することができる。
【００２１】
＜本発明の綿棒用収納滅菌袋の使用の態様＞
本綿棒用収納滅菌袋は、通常、所定本数の綿棒が収納・封止された状態で保管されている。それ故、使用に先立って、例えば所定条件下の蒸気滅菌装置（例えば、オートクレーブ）内に所定時間入れ、開口部を覆って貼着された多孔性シートから蒸気を導入し、前記綿棒を滅菌する。前記綿棒は、このまま使用する場合は、例えば袋体の端部を切り取り又は破り取って形成した取り出し口から外部に取り出し、所望の目的に使用する。
前述の使用態様のほか、使用前に綿棒の吸液部材（例えば、綿球）に所定の薬液を含浸させて使用する場合は、袋体の端部から綿棒を外部に取り出す前に以下の操作を行う。
前記蒸気滅菌装置から滅菌した綿棒用収納滅菌袋を取り出した後、前記多孔性シートを剥離し、開口部から、適切な薬液を袋体内に適量注入する。前記開口部は前記袋体の表裏面のうちの一方の面の略中央部に設けられているために、開口部から薬液を袋体内に注入する際、綿棒の他端（吸液部材が取り付けられた一端の反対側の端部）に薬液が付着することはない。
【００２２】
【発明の効果】
本発明の綿棒用収納滅菌袋は、袋体の表裏面のうちの一方の面の略中央部に開口部が設けられているため、一端に綿球などの吸液部材が取り付けられた綿棒を収納・封止した袋内に薬液を注入する際に、余分な薬液を使用することなく、綿棒の吸液部材に前記薬液を含浸させることができ、薬液含浸後に、袋体の上部を切断・開口し、吸液部材に薬液を含浸させた綿棒を指などに薬液を付着させることなく容易に取り出すことができるので、後に指などを洗浄する必要がない。
また、本発明の綿棒用収納滅菌袋では、薬液はほとんど薬液処理部（袋の開口部下端と底部との間の部分）に接触するのみなので、薬液の使用量が必要最小限の量でよく、更に、開口部と吸液部材との位置が近いので、例えば蒸気滅菌などの際、吸液部材の滅菌を効率良く行うことができるという副次的効果も有する。
【図面の簡単な説明】
【図１】本発明の実施の態様１の綿棒用滅菌袋の斜視図である。
【図２】実施の態様１の綿棒用滅菌袋において、多孔性シートを剥離し、開口部を一部露出させた状態を示す説明図である。
【図３】実施の態様１の綿棒用滅菌袋内に薬液を注入した状態を示す説明図である。
【図４】本発明の実施の態様２の綿棒用滅菌袋の斜視図である。
【図５】従来の滅菌用バッグの一例の斜視図である。
【符号の説明】
１：滅菌用バッグ                      ２：鉗子
３，１２：表面フィルム                ４，１３：裏面フィルム
５，１４：底フィルム                  ６：下部フィルム
７：上部フィルム                      ８，１５：シール部
９：切り取り線                        １０，２３：袋体
１１：綿棒                            １６，２４：開口部
１７：多孔性シート                    １８：綿球
１９，２５：切り込み                  ２０：棒
２１：薬液                            ２２：薬液処理部
【図１】
2004187996.tif 000003
【図２】
2004187996.tif 000004
【図３】
2004187996.tif 000005
【図４】
2004187996.tif 000006
【図５】
2004187996.tif 000007